(57)【要約】【課題】例えば、作業員が低圧の配電作業等を実施する際に、作業員がゴム製の絶縁手袋を手に装着している場合であっても、小さなネジを容易に摘まみ上げることができると共に、使用時に絶縁手袋に損傷を与えることの無いネジの磁着ホルダーと、このネジの磁着ホルダーを使用したネジの磁着方法を提供する。【解決手段】本発明に係るネジの磁着ホルダーは、ベルトを貫挿させる環状部を備え、環状部を介して作業員のベルトに装着するホルダーを構成し、このホルダーの適位置に、平板状の磁性体を取り付けている。また、ホルダーは、柔軟性を有する所定の長さの帯状片により構成され、帯状片の一端部側に磁性体を取り付け、帯状片の他端部側を折り返して環状部を形成している。【選択図】図１
2012091256.tif 000002
【特許請求の範囲】
【請求項１】
ベルトを貫挿させる環状部を備え、環状部を介して作業員のベルトに装着するホルダーを構成し、このホルダーの適位置に、平板状の磁性体を取り付けていることを特徴とする、ネジの磁着ホルダー。
【請求項２】
ホルダーは、柔軟性を有する所定の長さの帯状片により構成され、帯状片の一端部側に磁性体を取り付け、帯状片の他端部側を折り返して環状部を形成している請求項１に記載のネジの磁着ホルダー。
【請求項３】
ホルダーに、複数の磁性体を取り付けている請求項１または２に記載のネジの磁着ホルダー。
【請求項４】
ホルダーに、長尺な磁性体を取り付けている請求項１または２に記載のネジの磁着ホルダー。
【請求項５】
請求項１乃至４に記載されているネジの磁着ホルダーを使用した、ネジの磁着方法。
【発明の詳細な説明】
【技術分野】
【０００１】
本発明は、例えば、作業員が低圧の配電作業等を実施する際に、作業員がゴム製の絶縁手袋を手に装着している場合であっても、小さなネジを容易に摘まみ上げることができる、ネジの磁着ホルダーと、このネジの磁着ホルダーを使用したネジの磁着方法に関するものである。
【背景技術】
【０００２】
作業員Ｓが、例えば、低圧の配電作業等を実施する場合、安全のために自身の手に絶縁手袋１００を装着している（図７・図８参照）。
【０００３】
この絶縁手袋１００は、ゴム製で、所定の厚みを有している。また、絶縁手袋１００は、手の親指、人差し指、中指、薬指、小指を個々に挿入する指被覆部が設けられており、この指被覆部は、親指〜小指の長さよりも長く形成されていて、作業員の指先部分に若干の空間が存在している状態となっている。
【０００４】
また、低圧の配電作業等を実施する場合、種々のネジＮを使用するのが一般的である。これらの複数のネジＮは、例えば、図７に示すように、作業員Ｓが独自に購入した所定のケース１０１に収容していた。
【０００５】
また、図８に示すように、作業員ＳのバンドＢに取り付けた腰袋１０２に、複数のネジＮを収容することもあった。
【０００６】
そして、作業員Ｓは、必要に応じて当該ネジＮを摘まみ上げて、所定の場所に捩じ込む作業を実施していた。
【先行技術文献】
【特許文献】
【０００７】
【特許文献１】特に無し
【発明の概要】
【発明が解決しようとする課題】
【０００８】
しかしながら、作業員Ｓは、自身の手に絶縁手袋１００を装着していることから、所定のケース１０１等に収容しているネジＮを容易に摘まみ上げることができない事態が生じていた。
【０００９】
即ち、作業員Ｓは、ゴム製で所定の厚みを有する絶縁手袋１００を手に装着しており、絶縁手袋１００における指被覆部の内部においては、指先部分に若干の空間が存在していることから、指被覆部は、こまかい指の動きに追随し難くなり、指被覆部の動作が緩慢になり易い。
【００１０】
加えて、絶縁手袋１００の装着により、物を摘む際の感覚が作業員Ｓの指先に伝わり難くなり、指の感覚も鈍ってしまうことから、図７に示すように、所定のケース１０１に収容している複数のネジＮの中から、特定のネジＮを取り出そうとしたときに、ネジＮをうまく摘まみ上げることができなかったのである。
【００１１】
同様に、作業員ＳのバンドＢに取り付けた腰袋１０２に複数のネジＮを収容している場合にも、作業員Ｓが絶縁手袋１００を装着していることから、ネジＮをうまく摘まみ上げることができなかった。
【００１２】
また、ネジＮをうまく摘まみ上げることができるまで、ネジＮを取り出す動作を何度も繰り返し行わなければならないため、ネジＮの取り出しに時間を要し、全体の作業時間も長くなっていた。
【００１３】
さらに、腰袋１０２に複数のネジＮを収容している場合、個々のネジＮが様々な向きに配置されていることから、図８に示すように、ネジＮの先端部分が上方を向いてしまうこともある。この様に、鋭い先端部分が上方を向いているネジＮが存在している状態で、作業員Ｓが腰袋１０２に手を入れると、ネジＮの先端部分が絶縁手袋１００に突き刺さって、絶縁手袋１００に損傷を与えてしまう事態も生じていた。
【００１４】
そこで、本発明は、如上のような従来存した諸事情に鑑み創出されたもので、例えば、作業員が低圧の配電作業等を実施する際に、作業員がゴム製の絶縁手袋を手に装着している場合であっても、小さなネジを容易に摘まみ上げることができると共に、使用時に絶縁手袋に損傷を与えることの無いネジの磁着ホルダーと、このネジの磁着ホルダーを使用したネジの磁着方法を提供することを目的とする。
【課題を解決するための手段】
【００１５】
本発明に係るネジの磁着ホルダーは、ベルトを貫挿させる環状部を備え、環状部を介して作業員のベルトに装着するホルダーを構成し、このホルダーの適位置に、平板状の磁性体を取り付けていることで、上述した課題を解決した。
【００１６】
また、ホルダーは、柔軟性を有する所定の長さの帯状片により構成され、帯状片の一端部側に磁性体を取り付け、帯状片の他端部側を折り返して環状部を形成していることで、同じく上述した課題を解決した。
【００１７】
さらに、ホルダーに、複数の磁性体を取り付けていることで、同じく上述した課題を解決した。
【００１８】
また、ホルダーに、長尺な磁性体を取り付けていることで、同じく上述した課題を解決した。
【００１９】
この他、本発明に係るネジの磁着方法は、前記したネジの磁着ホルダーを使用することで、同じく上述した課題を解決した。
【発明の効果】
【００２０】
本発明に係るネジの磁着ホルダーは、ベルトを貫挿させる環状部を備えていることから、この環状部を介して、作業員のベルトにホルダーを容易に装着することができる。
【００２１】
そして、このホルダーの適位置に、平板状の磁性体を取り付けていることから、作業員が低圧の配電作業等を実施する際に、作業員の腰の位置において、必要なネジを予めホルダーに磁着させることができる。
【００２２】
その結果、作業員がゴム製の絶縁手袋を手に装着している場合であっても、必要なネジが予めホルダーに配置されていることとなり、作業員はこのネジを容易に摘まみ上げることができる。
【００２３】
即ち、作業員が手に装着している絶縁手袋は、ゴム製で所定の厚みを有しており、物を摘む際の感覚が作業員の指先に伝わり難い状態となっているが、作業員の腰の位置において、必要なネジが予めホルダーに磁着されているので、絶縁手袋を介して、当該ネジを容易に摘まみ上げることができるのである。
【００２４】
また、作業員は、ネジをうまく摘まみ上げることができるまで、ネジを取り出す動作を何度も繰り返し行う必要がなく、一度の動作で確実にネジを摘まみ上げることができるので、全体の作業時間も大幅に短縮できる。
【００２５】
さらに、作業に必要なネジが横になっている状態でホルダーに磁着されているので、このネジを摘まみ上げる時に、ネジの先端部分が絶縁手袋に突き刺さって、絶縁手袋に損傷を与えることもない。
【００２６】
また、ホルダーは、柔軟性を有する所定の長さの帯状片により構成され、帯状片の一端部側に磁性体を取り付け、帯状片の他端部側を折り返して環状部を形成していることから、ホルダーの作成が極めて容易である。
【００２７】
加えて、ホルダーに、複数の磁性体を取り付けているときには、作業員の腰の位置において、多くのネジをホルダーに磁着させることができる。
【００２８】
また、ホルダーに、長尺な磁性体を取り付けているときには、磁着させる個々のネジの間隔を保持することができる。その結果、ホルダーに磁着している特定のネジを摘まみ上げる時に、誤って他のネジを落下させることが無い。
【００２９】
この他、本発明に係るネジの磁着方法によれば、作業員の腰の位置において、必要なネジが予めホルダーに磁着されているので、作業員は簡単且つ確実にネジを摘まみ上げて、作業全体の安全性も向上させることができる。
【図面の簡単な説明】
【００３０】
【図１】ネジの磁着ホルダーの構成を示す斜視図である。
【図２】ネジの磁着ホルダーの構成を示す分解斜視図である。
【図３】ネジの磁着ホルダーの構成を示すもので、（ａ）はホルダーの正面図、（ｂ）はホルダーの側面図、（ｃ）はホルダーの背面図である。
【図４】ネジの磁着ホルダーを、バンドに装着している状態を示す側面図である。
【図５】ネジの磁着ホルダーを、作業員のバンドに装着している使用状態を示す斜視図である。
【図６】ネジの磁着ホルダーの他の構成を示すもので、（ａ）はホルダーに複数の磁性体を取り付けている状態の斜視図、（ｂ）はホルダーに長尺な磁性体を取り付けている状態の斜視図である。
【図７】作業員が絶縁手袋を手に装着している状態で、所定のケースに収容している複数のネジの中から、特定のネジを取り出そうとしている状態を示す斜視図である。
【図８】作業員が絶縁手袋を手に装着している状態で、腰袋に手を入れて特定のネジを取り出そうとしている状態を示す斜視図である。
【発明を実施するための形態】
【００３１】
以下に、図面を参照して、本発明を実施するための形態を詳細に説明する。
【００３２】
本発明に係るネジの磁着ホルダー１は、図１・図２に示すように、ベルトＢを貫挿させる環状部２を備え、環状部２を介して作業員ＳのベルトＢに装着するホルダー３を構成し、このホルダー３の適位置に、平板状の磁性体４を取り付けている。
【００３３】
ホルダー３は、柔軟性を有する皮材等の帯状片５により構成されている。尚、ホルダー３を構成する素材は、皮材等に限定されることはなく、布材や薄いプラスチック等、柔軟性や可撓性を有する素材を広く包含している。
【００３４】
そして、図３（ａ）（ｂ）に示すように、所定の長さの帯状片５の一端部側に円形の磁性体４を取り付け、帯状片５の他端部側を折り返して環状部２を形成している。
【００３５】
ホルダー３への磁性体４の取り付けには、図２に示すように、磁性体４の全体を覆うことのできる大きさの被覆片６を使用する。この被覆片６は、帯状片５の端部形状に合致した、矩形状に形成されている。
【００３６】
また、被覆片６としては、皮材等の素材を使用している。尚、被覆片６は、その周囲を縫い付けることができるものであれば、どの様な素材を用いても差し支えないが、基本的に帯状片５と同様の素材を使用すると、ホルダー３として好ましいものとなる。
【００３７】
前記した帯状片５における環状部２の形成と、被覆片６の取り付けには、所定のリベット９を使用する。
【００３８】
具体的には、図２に示すように、帯状片５の一部を折り返した状態で、帯状片５と、帯状片５の折り返した端部が接合している部分に、所定の間隔を開けて２個の孔７を設けておく。また、被覆片６にも、帯状片５の孔７に合致するように、所定の間隔を開けて２個の孔８を設けておく。これらの孔７・８は、帯状片５に取り付ける磁性体４を、内側に配置できる間隔を保持している。
【００３９】
そして、帯状片５の孔７の間に磁性体４を配置した状態で、帯状片５の孔７と被覆片６の孔８が合致するように帯状片５に被覆片６を宛がい、孔７・８にリベット９を貫通させる。
【００４０】
リベット９は、例えば、円筒部分の端部に、やや直径の大きい頭部を備えている。このリベット９の円筒部分を孔７・８に貫通させて、図３（ａ）（ｂ）（ｃ）に示すように、反対側に突出した円筒部分を押し潰して同様の頭部を形成する、所謂リベット９留めを行う。この様にして、図１・図３（ｂ）に示すように、帯状片５における環状部２を形成するのである。
【００４１】
また、被覆片６も、リベット９により帯状片５に固定されることとなるが、図１・図３（ａ）（ｃ）に示すように、被覆片６の外縁に沿うように全体を縫い付けることにより、磁性体４を内部に収容した状態で、被覆片６の外縁全体が帯状片５に固定される。
【００４２】
本発明に係るネジの磁着ホルダー１を使用するときは、図４・図５に示すように、環状部２を介して作業員ＳのベルトＢにホルダー３を装着する。そして、図４に示すように、このホルダー３に、例えば、作業員が低圧の配電作業等を実施する際に必要となる、複数のネジＮを磁着させる。
【００４３】
尚、図４に示すホルダー３には、２個のネジＮを磁着させているが、これに限定されることはなく、例えば、３個以上のネジＮを磁着させても良い。
【００４４】
このホルダー３は、例えば、図５に示すように、作業員Ｓの左側の腰部分に装着する。そして、右腕を回して、右手に装着している絶縁手袋１００を介して、ネジＮを摘まみ上げるのである。
【００４５】
尚、図１乃至図５に示す磁性体４は、円形に形成されているが、これに限定されることはなく、ネジＮを磁着させるのに好ましい形状を広く包含している。
【００４６】
また、図６（ａ）に示すように、帯状片５の一端部側を若干長くして、複数（例えば、３個）の磁性体４を取り付けても良い。
【００４７】
さらに、図６（ｂ）に示すように、磁性体４を長尺な長方形状に形成しても良い。
【００４８】
図６（ａ）（ｂ）に示すホルダー３は、いずれも、より多くのネジＮを磁着させるものとして、好ましいものとなる。
【００４９】
尚、本発明は、前記した実施の形態に限定されるものではなく、本発明の目的を達成できる範囲での改良・変形等は、本発明に全て包含されるものである。
【産業上の利用可能性】
【００５０】
本発明は、例えば、作業員が低圧の配電作業等を実施する際に、作業員がベルトに装着してネジを磁着させることの他に、様々な作業において種々の小部品を一時的に磁着させる磁着ホルダーとして、幅広く利用することができる。
【符号の説明】
【００５１】
Ｓ…作業員
Ｂ…バンド
Ｎ…ネジ
１…ネジの磁着ホルダー
２…環状部
３…ホルダー
４…磁性体
５…帯状片
６…被覆片
７…孔
８…孔
９…リベット
１００…絶縁手袋
１０１…ケース
１０２…腰袋
【図１】
2012091256.tif 000003
【図２】
2012091256.tif 000004
【図３】
2012091256.tif 000005
【図４】
2012091256.tif 000006
【図５】
2012091256.tif 000007
【図６】
2012091256.tif 000008
【図７】
2012091256.tif 000009
【図８】
2012091256.tif 000010